【事件の表示】
　特願２０１４−５４６１３９「モバイルデバイス上でのデータ可視化の閲覧および対話のための拡大ツール」拒絶査定不服審判事件〔平成２５年　６月１３日国際公開、ＷＯ２０１３／０８６３９５、平成２７年　１月　８日国内公表、特表２０１５−５０１０５２、請求項の数（７）〕について、次のとおり審決する。
【結　論】
　原査定を取り消す。
　本願の発明は、特許すべきものとする。
【理　由】
第１　手続の経緯
　本願は，平成２４年１２月７日（パリ条約による優先権主張　平成２３年１２月８日，米国　平成２４年２月２７日　米国）を国際出願日とする出願であって，平成２８年９月７日付けで拒絶理由通知がされ，平成２８年１２月１３日付けで手続補正がされ，平成２９年５月１８日付けで拒絶査定（原査定）がされ，これに対し，平成２９年９月２９日に拒絶査定不服審判の請求がされると同時に手続補正がされたものである。
第２　原査定の概要
　原査定（平成２９年５月１８日付け拒絶査定）の概要は次のとおりである。
　本願請求項１−１１に係る発明は，以下の引用文献２−４に基づいて，その発明の属する技術の分野における通常の知識を有する者（以下，「当業者」という。）が容易に発明できたものであるから，特許法第２９条第２項の規定により特許を受けることができない。
引用文献等一覧
２．特許第４８１８４７８号公報
３．小山　香織，ｉＰａｄビジネス活用ガイド　初版，株式会社毎日コミュニケーションズ，２０１１年７月６日，第１７頁
４．ゲイザー，ｉＰｈｏｎｅ　４Ｓ　スーパーマニュアル　第１版　ｉＰｈｏｎｅ　４Ｓ　ＳＵＰＥＲ　ＭＡＮＵＡＬ，株式会社秀和システム，２０１１年１２月３日，第５６頁
第３　本願発明
　本願請求項１−７に係る発明（以下，それぞれ「本願発明１」−「本願発明７」という。）は，平成２９年９月２９日付けの手続補正で補正された特許請求の範囲の請求項１−７に記載された事項により特定される発明であり，本願発明１，２，７は以下のとおりの発明である。
「【請求項１】
　タッチスクリーンを有するデバイス上の内容を拡大する方法であって，
　前記内容は，１つ以上の座標軸上に配置される複数のデータ要素を備えるグラフを含み，
　前記タッチスクリーン上のユーザがタッチした場所の選択を受け付けるステップと，
　前記タッチスクリーン上の前記場所の位置を判定するステップと，
　前記内容をタッチスクリーンに表示するステップと，
　拡大される前記タッチスクリーンの部分であって円形部分を，判定された前記位置および当該部分に対応のデータ要素の密集度に応じた半径に基づき判定するステップと，
　判定された前記円形部分に対応する内容の一部を拡大し，前記拡大された一部を前記タッチスクリーンの上に重ねるステップと，
　拡大される前記部分の中心に位置するデータ要素に対応した座標値を含む情報を表示するステップと，
　前記内容の一部を拡大して重ね中に，当該拡大のために選択された場所とは異なる場所の選択が受付けられたときは，当該一部を拡大して重ねることを終了するステップと，を備える，方法。」
「【請求項２】
　表示される内容を拡大するための拡大ツールを含むデバイスであって，
　１つ以上の座標軸上に配置される複数のデータ要素を備えるグラフを含む内容を表示するように動作可能なタッチスクリーンと，
　ユーザからのタッチスクリーンにおける操作を受け付ける手段とを備え，
　前記デバイスが，前記タッチスクリーン上の場所の選択の操作を受け付けた場合，前記デバイスは，
　　前記タッチスクリーン上の前記場所の位置を判定し，
　　拡大する前記タッチスクリーンの部分であって円形部分を，判定された前記位置および当該部分に対応のデータ要素の密集度に応じた半径に基づき判定し，
　　判定された前記部分に対応した内容の一部を拡大し，前記拡大された一部を前記タッチスクリーンの上に重ね，
　　拡大される前記部分の中心に位置するデータ要素に対応した座標値を含む情報を表示し，
　前記一部を拡大して重ね中に，当該拡大のために選択された場所とは異なる場所の選択が受付けられたときは，当該一部を拡大して重ねることを終了するように構成される，デバイス。」
「【請求項７】
　プログラムであって，コンピュータに，
　コンピュータ読み取り可能な媒体とプロセッサとを含むデバイスのタッチスクリーン上の場所の選択を受け付けるステップと，
　前記タッチスクリーン上の前記場所の位置を判定するステップと，
　デバイス上の内容であって，１つ以上の座標軸上に配置される複数のデータ要素を備えるグラフを含む内容をタッチスクリーンに表示するステップと，
　拡大する前記タッチスクリーンの部分であって円形部分を，判定された前記位置および当該部分に対応のデータ要素の密集度に応じた半径に基づき判定するステップと，
　判定された前記円形部分に対応の内容の一部を拡大し，前記タッチスクリーン上に前記拡大された一部を重ねるステップと，
　拡大される前記部分の中心に位置するデータ要素に対応した座標値を含む情報を表示するステップと，
　前記内容の一部を拡大して重ね中に，当該拡大のために選択された場所とは異なる場所の選択が受付けられたときは，当該一部を拡大して重ねることを終了するステップとを実行させる，プログラム。」
　なお，本願発明３−６の概要は以下のとおりである。
　本願発明３−６は，本願発明２を直接又は間接的に引用した発明である。
第４　引用文献，引用発明等
１　引用文献２について
　原査定の拒絶の理由に引用された引用文献２には，図面とともに次の事項が記載されている（なお，下線は重要箇所に対して当審が付した。以下，同様。）。
（１）段落【００１３】−【００１６】
「【００１３】
　［携帯端末装置の外観例］
　図１は，本実施の形態の携帯端末装置１の外観例を示す斜視図である。なお，本実施の形態の携帯端末装置１は，一般にスマートフォンとも称され，携帯電話の機能と携帯型情報端末装置の機能とが組み合わされたものを想定する。
【００１４】
　図１に示される
携帯端末装置１において，その前面パネルにはタッチパネル２が設けられる。
【００１５】
　また，前面パネルにおいてタッチパネル２の下側にはメニューボタン３ａ，ホームボタン３ｂおよびバックボタン３ｃが配置される。メニューボタン３ａは，メニュー画面を表示させるための操作が行われるボタンである。ホームボタン３ｂは，ホームとしての表示に戻すための操作が行われるボタンである。バックボタン３ｃは，前のページ，または前にアクティブとなっていたアプリケーションに戻すための操作が行われるボタンである。
【００１６】
　また，
この携帯端末装置１の側面には，
電源ボタン４，アップボタン５ａ，ダウンボタン５ｂおよびシャッターボタン６が配置される。
（２）段落【００１８】−【００３５】
「【００１８】
　［起動アプリケーションの登録例］
　上記図１に示したように，本実施の形態の携帯端末装置１は，筐体に対して物理的に備えられるボタンは必要最小限に抑えられている。そして，携帯電話機能およびアプリケーションに関する操作のほとんどを，タッチパネル２に対するタッチやスライドなどの操作によって行えるようになっている。例えば，
携帯端末装置１に実装されているアプリケーションを起動させる操作
タッチパネル２に対してインストールされているアプリケーションのリストを表示させるための操作を行い，次に，この表示されたリストのなかから，起動させたいアプリケーションのアイコンを選択してタッチする操作
【００１９】
　上記のアプリケーションを起動させる操作は，タッチパネル２に対する複数回の操作を必要とする。このような操作は，例えば一度起動させた後において長時間継続して使用されるようなアプリケーションではさほど苦になるものではない。しかし，例えば１回の使用時間は短いものの，必要に応じて比較的頻繁に起動させて使用したいようなアプリケーションの場合，非常にわずらわしく面倒なものとなってしまう。
【００２０】
　そこで，本実施の形態の携帯端末装置１では，上記の不都合を解消するために，
シャッターボタン６に対する長押し操作に応じて予め登録されたアプリケーションを起動できるように構成する。
【００２１】
　まず，図２を参照して，シャッターボタン６の長押しに対応して起動すべきアプリケーション（以降，「起動アプリケーション」と略す）を登録するための操作手順例について説明する。
【００２２】
　図２（ａ）には，タッチパネル２が示されている。この
タッチパネル２としての画像表示領域全体において，その上側にはステイタスバー２１が表示される。
【００２３】
　タッチパネル２における
上記ステイタスバー２１以外の領域は，アプリケーションエリア２２とされて，起動中のアプリケーションの画像が表示される。
ウェブブラウザのアプリケーションが起動しており，これに応じて文字やグラフィック像が表示された状態
【００２４】
　上記図２（ａ）に示される
状態のもとで，ユーザがシャッターボタン６に対する操作を行ったとする。
タッチパネル２に起動アプリケーション選択画面３０を表示させる。
【００２５】
　図２（ｂ）の
起動アプリケーション選択画面３０においては，複数（この場合には３つ）の選択エリア３１ａ，３１ｂおよび３１ｃが配置される。これら選択エリア３１のそれぞれには，起動アプリケーションの選択候補となるアプリケーションが提示される。
【００２６】
　そして，ユーザが起動アプリケーションを登録したい場合には，図２（ｂ）に示す起動
アプリケーション選択画面３０を表示させている状態のもとでチェックボックス３２に対するタッチ操作を行ってチェックマークを入れた状態とする。そのうえで，選択エリア３１ａ〜３１ｃのうちから，登録したいアプリケーションが示される選択エリア３１を選択してタッチ操作を行う。
【００２７】
　ここでは，
ユーザは選択エリア３１ｃに表示されている「補助辞書アプリケーション」を選択してタッチ操作を行ったものとする。
選択エリア３１ｃに対する操作を行ったことに応じて，補助辞書アプリケーションが起動する。
【００２８】
　これとともに，上記の
選択エリア３１ｃに対するタッチ操作に応じて，補助辞書アプリケーションは通常に起動する。補助辞書アプリケーションの起動に応じて，タッチパネル２には補助辞書アプリケーションに対応する画像が表示される。
補助辞書アプリケーションに対応する画像は，図２（ｃ）に例示するようにルーペ型ポインタ４１となる。このルーペ型ポインタ４１は，図２（ａ）に表示されていたウェブブラウザの画像に対して重畳して表示されている。
【００２９】
　なお，補助辞書アプリケーションの機能および操作例については後述する。また，図２（ｃ）に示したように
起動アプリケーション選択画面３０に対する選択操作に応じて起動した補助辞書アプリケーションは，バックボタン３ｃまたはシャッターボタン６の短押し操作に応じて終了させることができる。
【００３０】
　上記のように
起動アプリケーションとして補助辞書アプリケーションが登録されて以降は，
シャッターボタン６の長押し操作
この長押し操作に応じては，図３（ｂ）に示すように補助辞書アプリケーションが起動して，ウェブブラウザの画像（バックグラウンド画像）に対してルーペ型ポインタ４１が重畳表示される。
【００３１】
　このように起動された
補助辞書アプリケーションは，シャッターボタン６の長押し操作がユーザによって継続されている限り，終了されることなくアクティブの状態が維持される。
ユーザがシャッターボタン６の長押し操作を解除したとすると，補助辞書アプリケーションが終了し，
ルーペ型ポインタ４１
の表示が消去され，
【００３２】
　なお，図２（ｂ）においてチェックボックス３２からチェックマークを外した状態で選択エリア３１に対するタッチ操作を行った場合には，起動アプリケーションの登録は行われないまま，タッチ操作が行われた選択エリア３１のアプリケーションが起動する。したがって，この後において，再度シャッターボタン６の長押し操作を行えば，起動アプリケーション選択画面３０が表示されることになる。
【００３３】
　［補助辞書アプリケーションの動作例］
　図４および図５を参照して，補助辞書アプリケーションに対する操作と，この操作に応じた動作例について説明する。図４（ａ）は，図３（ａ）と同様のタッチパネル２の状態が示されている。つまり，補助辞書アプリケーションが起動して，バックグラウンドのウェブブラウザの画像に対してルーペ型ポインタ４１が表示された状態である。
ルーペ型ポインタ４１においては，そのバックグラウンドで表示されている画像部分（ここではウェブブラウザの画像部分）を抜き出して拡大して表示されるようになっている。
【００３４】
　ここで，図４（ａ）から図４（ｂ）への遷移として示すようにルーペ型ポインタ４１を移動させる操作を行ったとする。この
ルーペ型ポインタ４１を移動させる操作は，例えばタッチパネル２におけるルーペ型ポインタ４１の画像部分に指などで触れ，移動させたい方向にスライドさせるというものになる。
【００３５】
　補助辞書アプリケーションは，上記のようにルーペ型ポインタ４１において
拡大表示された画像部分が英単語を形成する文字列である場合，同じ図４（ｂ）に示すように，ルーペ型ポインタ４１の近傍に意味提示エリア４２を表示させる。
　したがって，上記引用文献２には次の発明（以下，「引用発明」という。）が記載されていると認められる。
「携帯端末装置１において，その前面パネルにはタッチパネル２が設けられ，
　この携帯端末装置１の側面には，電源ボタン４，アップボタン５ａ，ダウンボタン５ｂおよびシャッターボタン６が配置され，
　携帯端末装置１に実装されているアプリケーションを起動させる操作は，タッチパネル２に対してインストールされているアプリケーションのリストを表示させるための操作を行い，次に，この表示されたリストのなかから，起動させたいアプリケーションのアイコンを選択してタッチする操作であり，
　シャッターボタン６に対する長押し操作に応じて予め登録されたアプリケーションを起動できるように構成され，
　タッチパネル２としての画像表示領域全体において，その上側にはステイタスバー２１が表示され，
　上記ステイタスバー２１以外の領域は，アプリケーションエリア２２とされて，起動中のアプリケーションの画像が表示され，ウェブブラウザのアプリケーションが起動しており，これに応じて文字やグラフィック像が表示された状態のもとで，ユーザがシャッターボタン６に対する操作を行ったとすると，
　タッチパネル２に起動アプリケーション選択画面３０を表示させ，
　起動アプリケーション選択画面３０においては，複数（この場合には３つ）の選択エリア３１ａ，３１ｂおよび３１ｃが配置され，これら選択エリア３１のそれぞれには，起動アプリケーションの選択候補となるアプリケーションが提示され，
　ユーザは選択エリア３１ｃに表示されている「補助辞書アプリケーション」を選択してタッチ操作を行ったものとすると，
　選択エリア３１ｃに対する操作を行ったことに応じて，補助辞書アプリケーションが起動し，
　選択エリア３１ｃに対するタッチ操作に応じて，補助辞書アプリケーションは通常に起動し，補助辞書アプリケーションの起動に応じて，タッチパネル２には補助辞書アプリケーションに対応する画像が表示され，補助辞書アプリケーションに対応する画像は，ルーペ型ポインタ４１となり，このルーペ型ポインタ４１は，表示されていたウェブブラウザの画像に対して重畳して表示され，
　起動アプリケーション選択画面３０に対する選択操作に応じて起動した補助辞書アプリケーションは，バックボタン３ｃまたはシャッターボタン６の短押し操作に応じて終了させることができ，
　起動アプリケーションとして補助辞書アプリケーションが登録されて以降は，
　シャッターボタン６の長押し操作に応じては，補助辞書アプリケーションが起動して，ウェブブラウザの画像（バックグラウンド画像）に対してルーペ型ポインタ４１が重畳表示され，
　補助辞書アプリケーションは，シャッターボタン６の長押し操作がユーザによって継続されている限り，終了されることなくアクティブの状態が維持され，ユーザがシャッターボタン６の長押し操作を解除したとすると，補助辞書アプリケーションが終了し，ルーペ型ポインタ４１の表示が消去され，
　ルーペ型ポインタ４１においては，そのバックグラウンドで表示されている画像部分（ここではウェブブラウザの画像部分）を抜き出して拡大して表示されるようになっており，
　ルーペ型ポインタ４１を移動させる操作は，例えばタッチパネル２におけるルーペ型ポインタ４１の画像部分に指などで触れ，移動させたい方向にスライドさせるというものになり，
　拡大表示された画像部分が英単語を形成する文字列である場合，ルーペ型ポインタ４１の近傍に意味提示エリア４２を表示させる，
　方法。」
２　引用文献３−４について
（１）引用文献３について
　原査定の拒絶の理由に引用された引用文献３の第１７頁には，「３｜カーソルを移動する」の欄において，「長押しすると拡大鏡が現れるので，」という事項が記載され，併せて示される図面では，円形状の拡大鏡が表示されている。また，「４｜カット・コピー＆ペーストをする」の欄において，「３の後で指を離すと，吹き出しが現れます。」という事項が記載されている。
（２）引用文献４について
　原査定の拒絶の理由に引用された引用文献４の第５６頁には，「文字列のコピー」の欄において，「１　編集したい文字列を長押し　・拡大鏡が表示されます」という事項が記載され，併せて示される図面では，円形状の拡大鏡が表示されている。また，続いて「指を離すと，拡大鏡で表示された場所に吹き出しが表示されます」という事項が記載され，併せて示される図面では，拡大鏡は無く吹き出しが表示されている。
（３）周知技術
　引用文献３−４より，「長押しによって拡大鏡を表示した後，指を離すと拡大鏡が消去されること」は，本願出願前に周知技術であったといえる。
第５　対比・判断
１　本願発明１について
（１）対比
　本願発明１と引用発明とを対比すると，次のことがいえる。
ア　引用発明の「携帯端末装置１」，「タッチパネル２」は，それぞれ本願発明１の「デバイス」，「タッチスクリーン」に相当する。
　また，引用発明では，「タッチパネル２としての画像表示領域全体において，その上側にはステイタスバー２１が表示され，上記ステイタスバー２１以外の領域は，アプリケーションエリア２２とされて，起動中のアプリケーションの画像が表示され，ウェブブラウザのアプリケーションが起動して」いるから，「タッチパネル２」に「ウェブブラウザ」の「画像」が「表示され」るといえ，この「ウェブブラウザ」の「画像」は，本願発明１の「タッチスクリーンを有するデバイス上の内容」に相当する。
イ　引用発明では，「タッチパネル２」に表示された「起動アプリケーション選択画面３０」に「選択エリア３１ａ，３１ｂおよび３１ｃ」が「配置」され，「ユーザ」は，この「選択エリア３１ｃ」に対する「タッチ操作を行」うことができ，また，「タッチパネル２におけるルーペ型ポインタ４１の画像部分に指などで触れ，移動させたい方向にスライドさせる」ことによって「ルーペ型ポインタ４１を移動させる操作」が行えるから，引用発明が，本願発明１の「前記タッチスクリーン上のユーザがタッチした場所の選択を受け付けるステップ」及び「前記タッチスクリーン上の前記場所の位置を判定するステップ」に相当する構成を備えることは明らかである。
ウ　上記アで述べたとおり，引用発明では，「タッチパネル２」に「ウェブブラウザ」の「画像」が「表示され」るといえ，このことは，本願発明１の「前記内容をタッチスクリーンに表示するステップ」に相当する。
エ　引用発明では，「ウェブブラウザの画像（バックグラウンド画像）に対してルーペ型ポインタ４１が重畳表示され」，「ルーペ型ポインタ４１においては，そのバックグラウンドで表示されている画像部分（ここではウェブブラウザの画像部分）を抜き出して拡大して表示されるようになって」いるから，引用発明は，本願発明１の「判定された前記円形部分に対応する内容の一部を拡大し，前記拡大された一部を前記タッチスクリーンの上に重ねるステップ」と「円形部分に対応する内容の一部を拡大し，前記拡大された一部を前記タッチスクリーンの上に重ねるステップ」という点で共通する構成を有するといえる。
オ　引用発明では，「起動アプリケーション選択画面３０に対する選択操作に応じて起動した補助辞書アプリケーションは，バックボタン３ｃまたはシャッターボタン６の短押し操作に応じて終了させることができ」，また，「シャッターボタン６の長押し操作に応じて」「補助辞書アプリケーションが起動し」たときは，「シャッターボタン６の長押し操作がユーザによって継続されている限り，終了されることなくアクティブの状態が維持され，ユーザがシャッターボタン６の長押し操作を解除したとすると，補助辞書アプリケーションが終了し，ルーペ型ポインタ４１の表示が消去され」るから，引用発明は，本願発明１の「前記内容の一部を拡大して重ね中に，当該拡大のために選択された場所とは異なる場所の選択が受付けられたときは，当該一部を拡大して重ねることを終了するステップ」と「前記内容の一部を拡大して重ね中に，所定の操作が受付けられたときは，当該一部を拡大して重ねることを終了するステップ」という点で共通する構成を有するといえる。
カ　上記ア，エで述べたとおり，引用発明では，「タッチパネル２」に「ウェブブラウザ」の「画像」が「表示され」，「ルーペ型ポインタ４１においては，そのバックグラウンドで表示されている画像部分（ここではウェブブラウザの画像部分）を抜き出して拡大して表示されるようになって」いるから，引用発明は，「タッチスクリーンを有するデバイス上の内容を拡大する方法」であるといえる。
　よって，本願発明１と引用発明との間には，次の一致点，相違点があるといえる。
（一致点）
「タッチスクリーンを有するデバイス上の内容を拡大する方法であって，
　前記タッチスクリーン上のユーザがタッチした場所の選択を受け付けるステップと，
　前記タッチスクリーン上の前記場所の位置を判定するステップと，
　前記内容をタッチスクリーンに表示するステップと，
　円形部分に対応する内容の一部を拡大し，前記拡大された一部を前記タッチスクリーンの上に重ねるステップと，
　前記内容の一部を拡大して重ね中に，所定の操作が受付けられたときは，当該一部を拡大して重ねることを終了するステップと，を備える，方法。」
（相違点）
（相違点１）本願発明１では，「前記内容は，１つ以上の座標軸上に配置される複数のデータ要素を備えるグラフを含」み，さらに，「拡大される前記部分の中心に位置するデータ要素に対応した座標値を含む情報を表示するステップ」を備えるのに対して，引用発明では，「１つ以上の座標軸上に配置される複数のデータ要素を備えるグラフ」を表示しておらず，また，「拡大表示された画像部分が英単語を形成する文字列である場合」に「ルーペ型ポインタ４１の近傍に意味提示エリア４２を表示させる」ものの，「拡大される前記部分の中心に位置するデータ要素に対応した座標値を含む情報」を表示するものではない点。
（相違点２）本願発明１は，「拡大される前記タッチスクリーンの部分であって円形部分を，判定された前記位置および当該部分に対応のデータ要素の密集度に応じた半径に基づき判定するステップ」を備え，当該ステップによって「判定された前記円形部分に対応する内容の一部を拡大」するのに対して，引用発明は，このようなステップを備えておらず，「ルーペ型ポインタ４１」により拡大される範囲についての特定がなされていない点。
（相違点３）「前記内容の一部を拡大して重ね中に」「当該一部を拡大して重ねることを終了する」ために受付けられる「所定の操作」が，本願発明１では，「当該拡大のために選択された場所とは異なる場所の選択」であるのに対して，引用発明では，「バックボタン３ｃまたはシャッターボタン６の短押し操作」又は「シャッターボタン６の長押し操作を解除」することである点。
（２）相違点についての判断
　まず，上記相違点１について検討する。
　ウェブブラウザの表示内容（コンテンツ）として，「１つ以上の座標軸上に配置される複数のデータ要素を備えるグラフ」はありふれたものであり，引用発明における「ウェブブラウザ」において，「１つ以上の座標軸上に配置される複数のデータ要素を備えるグラフ」を表示することは，当業者が想定し得ることである。
　しかしながら，このような「グラフ」をウェブブラウザのコンテンツとして表示したとき，「拡大される前記部分の中心に位置するデータ要素に対応した座標値を含む情報を表示する」ことまでは，引用文献２−４のいずれにも記載も示唆もされていない。
　また，「拡大される前記部分の中心に位置するデータ要素に対応した座標値を含む情報を表示する」ことが，本願出願前に周知技術であったということもできない。
　したがって，上記相違点２−３について検討するまでもなく，本願発明１は，引用発明及び引用文献３−４に記載された技術的事項及び周知技術に基づいて，当業者が容易に発明できたものであるとはいえない。
２　本願発明２について
　本願発明２は，方法のカテゴリーに属する本願発明１を「デバイス」という物のカテゴリーに属する発明としたものであり，本願発明１の「前記内容は，１つ以上の座標軸上に配置される複数のデータ要素を備えるグラフを含み」，「拡大される前記部分の中心に位置するデータ要素に対応した座標値を含む情報を表示するステップ」という事項と実質的に同一の「１つ以上の座標軸上に配置される複数のデータ要素を備えるグラフを含む内容を表示する」，「拡大される前記部分の中心に位置するデータ要素に対応した座標値を含む情報を表示し」という事項を有しているから，本願発明１と同様の理由により，引用発明及び引用文献３−４に記載された技術的事項及び周知技術に基づいて，当業者が容易に発明できたものであるとはいえない。
３　本願発明３−６について
　本願発明３−６は，本願発明２の「１つ以上の座標軸上に配置される複数のデータ要素を備えるグラフを含む内容を表示する」，「拡大される前記部分の中心に位置するデータ要素に対応した座標値を含む情報を表示し」と同一の事項を有しているから，本願発明１と同様の理由により，引用発明及び引用文献３−４に記載された技術的事項及び周知技術に基づいて，当業者が容易に発明できたものであるとはいえない。
４　本願発明７について
　本願発明７は，方法のカテゴリーに属する本願発明１を「プログラム」という物のカテゴリーに属する発明としたものであり，本願発明１の「前記内容は，１つ以上の座標軸上に配置される複数のデータ要素を備えるグラフを含み」という事項と実質的に同一の「デバイス上の内容であって，１つ以上の座標軸上に配置される複数のデータ要素を備えるグラフを含む内容」という事項を有し，且つ，本願発明１の「拡大される前記部分の中心に位置するデータ要素に対応した座標値を含む情報を表示するステップ」と同一の事項を有しているから，本願発明１と同様の理由により，引用発明及び引用文献３−４に記載された技術的事項及び周知技術に基づいて，当業者が容易に発明できたものであるとはいえない。
第６　原査定について
　理由（特許法第２９条第２項）について
　本願発明１は，「前記内容は，１つ以上の座標軸上に配置される複数のデータ要素を備えるグラフを含み」，「拡大される前記部分の中心に位置するデータ要素に対応した座標値を含む情報を表示するステップ」という事項，本願発明２−６は，「１つ以上の座標軸上に配置される複数のデータ要素を備えるグラフを含む内容を表示する」，「拡大される前記部分の中心に位置するデータ要素に対応した座標値を含む情報を表示し」という事項，本願発明７は，「デバイス上の内容であって，１つ以上の座標軸上に配置される複数のデータ要素を備えるグラフを含む内容」，「拡大される前記部分の中心に位置するデータ要素に対応した座標値を含む情報を表示するステップ」という事項をそれぞれ有しており，当業者であっても，拒絶査定において引用された引用文献２に基づいて，容易に発明できたものとはいえない。
　したがって，原査定の理由を維持することはできない。
第７　むすび
　以上のとおり，原査定の理由によっては，本願を拒絶することはできない。
　また，他に本願を拒絶すべき理由を発見しない。
　よって，結論のとおり審決する。